(57)【要約】【課題】ミキシング機能を有しない機器を用いてカラオケ等を手軽かつ廉価に楽めるようにし、本来のカラオケ等と同様の臨場感を得、かつ消費電力及びコストを低減する。【解決手段】アダプタ装置１は、マイクロホン３，４４からの信号に基づく音響信号を出力する増幅器４８を備える。アダプタ装置１は、そのプラグ３１及びジャック３２が機器２及びヘッドホン４にそれぞれ接続されたときに、機器２の増幅器１１Ｒ，１１Ｌからの左右の音響信号を抵抗器１５Ｒ，１５Ｌを介してヘッドホン４の左右のボイスコイル４Ｒ，４Ｌの一方端子に供給し、増幅器４８からの音響信号を抵抗器５２Ｒ，５２Ｌを介してボイスコイル４Ｒ，４Ｌの前記一方端子に供給し、ボイスコイル４Ｒ，４Ｌの他方端子を増幅器１１Ｒ，１１Ｌ，４８と共通の接地電位に接地する。【選択図】        図１
2005043492.tif 000002
【特許請求の範囲】
【請求項１】
第１の増幅器から出力される第１の音響信号が示す第１の音響と、第２の増幅器から出力される第２の音響信号が示す第２の音響とを合成した合成音を発生させる音響合成方法であって、
前記第１の音響信号を第１の電気抵抗手段を介して電気音響変換器に供給するとともに、前記第２の音響信号を第２の電気抵抗手段を介して前記電気音響変換器に供給することで、前記第１及び第２の音響信号を前記電気音響変換器上で直に合成することを特徴とする音響合成方法。
【請求項２】
前記第１の音響信号を第１の電気抵抗手段を介して前記電気音響変換器の一方の端子に供給するとともに、前記第２の音響信号を第２の電気抵抗手段を介して前記電気音響変換器の前記一方の端子に供給し、前記電気音響変換器の他方の端子を前記第１及び第２の増幅器と共通の接地電位に接地することを特徴とする請求項１記載の音響合成方法。
【請求項３】
前記第１の音響信号を第１の電気抵抗手段を介して前記電気音響変換器の一方の端子に供給するとともに、前記第２の音響信号を第２の電気抵抗手段を介して前記電気音響変換器の他方の端子に供給し、前記第１及び第２の増幅器の接地を共通電位とすることを特徴とする請求項１記載の音響合成方法。
【請求項４】
第１の音響信号を出力する機器と共に用いられるアダプタ装置であって、
前記機器に接続される第１の外部接続部と、
電気音響変換器に接続される第２の外部接続部と、
前記第１及び第２の外部接続部に前記機器及び前記電気音響変換器がそれぞれ接続されたときに、前記第１の音響信号が示す第１の音響と第２の音響信号が示す第２の音響とを合成した合成音を前記電気音響変換器に発生させる回路と、
を備え、
前記機器は、前記第１の音響信号を出力する第１の増幅器を含み、
前記第２の音響信号は第２の増幅器から出力され、
前記回路は、前記第１及び第２の外部接続部に前記機器及び前記電気音響変換器がそれぞれ接続されたときに、前記第１の増幅器から出力される前記第１の音響信号が第１の電気抵抗手段を介して前記電気音響変換器の一方の端子に供給されるように、前記第１及び第２の外部接続部間を連係させる手段と、前記第２の増幅器から出力される前記第２の音響信号が第２の電気抵抗手段を介して前記電気音響変換器の前記一方の端子に供給されるように、前記第２の増幅器と前記第２の外部接続部との間を連係させる手段と、前記電気音響変換器の他方の端子を前記第１及び第２の増幅器と共通の接地電位に接地する手段と、を含み、
前記第１及び第２の音響信号を前記電気音響変換器上で直に合成することを特徴とするアダプタ装置。
【請求項５】
本体をなす筐体と、該筐体に設けられた接続部に基端側が接続されるかあるいは前記筐体から導出されたケーブルと、を備え、
前記第１及び第２の外部接続部は前記筐体外に配置され、
前記第１及び第２の外部接続部は、前記ケーブルの所定信号線の少なくとも基端側部分を共通して用いることで、これを介して前記筐体内に対してそれぞれ配線されることを特徴とする請求項４記載のアダプタ装置。
【請求項６】
第１の音響信号を出力する機器と共に用いられるアダプタ装置であって、
前記機器に接続される第１の外部接続部と、
電気音響変換器に接続される第２の外部接続部と、
前記第１及び第２の外部接続部に前記機器及び前記電気音響変換器がそれぞれ接続されたときに、前記第１の音響信号が示す第１の音響と第２の音響信号が示す第２の音響とを合成した合成音を前記電気音響変換器に発生させる回路と、
を備え、
前記機器は、前記第１の音響信号を出力する第１の増幅器を含み、
前記第２の音響信号は第２の増幅器から出力され、
前記回路は、前記第１及び第２の外部接続部に前記機器及び前記電気音響変換器がそれぞれ接続されたときに、前記第１の増幅器から出力される前記第１の音響信号が第１の電気抵抗手段を介して前記電気音響変換器の一方の端子に供給されるように、前記第１及び第２の外部接続部間を連係させる手段と、前記第２の増幅器から出力される前記第２の音響信号が第２の電気抵抗手段を介して前記電気音響変換器の他方の端子に供給されるように、前記第２の増幅器と前記第２の外部接続部との間を連係させる手段と、前記第１及び第２の増幅器の接地が共通電位となるように接続する手段と、を含み、
前記第１及び第２の音響信号を前記電気音響変換器上で直に合成することを特徴とするアダプタ装置。
【請求項７】
前記機器は、前記第１の音響信号を、前記第１の増幅器の出力端から、前記第１の電気抵抗手段の少なくとも一部を構成する抵抗器を介して、外部に出力することを特徴とする請求項４乃至６のいずれかに記載のアダプタ装置。
【請求項８】
前記第１の電気抵抗手段の少なくとも一部を構成する抵抗器を備えたことを特徴とする請求項４乃至７のいずれかに記載のアダプタ装置。
【請求項９】
前記第１の電気抵抗手段の少なくとも一部を構成する抵抗器と、該抵抗器の有効・無効を切り換えるスイッチ手段と、を備えたことを特徴とする請求項４乃至６のいずれかに記載のアダプタ装置。
【請求項１０】
前記第２の増幅器の出力レベルのダイナミックレンジが、前記第１の増幅器の出力レベルのダイナミックレンジより広いことを特徴とする請求項４乃至９のいずれかに記載のアダプタ装置。
【請求項１１】
前記第２の増幅器が前記第１の増幅器より高い電源電圧にて作動され、前記第２の電気抵抗手段の抵抗値が前記第１の電気抵抗手段の抵抗値より高いことを特徴とする請求項４乃至１０のいずれかに記載のアダプタ装置。
【請求項１２】
当該アダプタ装置に対する給電をオンオフする給電用スイッチを備えたことを特徴とする請求項４乃至１１のいずれかに記載のアダプタ装置。
【請求項１３】
当該アダプタ装置は前記機器から給電され、前記機器は当該アダプタ装置に対する給電を選択的にオンオフする給電用スイッチを有することを特徴とする請求項４乃至１１のいずれかに記載のアダプタ装置。
【請求項１４】
前記第２の増幅器の出力端と接地との間に抵抗器が介在されたことを特徴とする請求項１２又は１３記載のアダプタ装置。
【発明の詳細な説明】
【０００１】
【発明の属する技術分野】
本発明は、２つの音響信号がそれぞれ示す音響を合成した合成音を発生させる音響合成方法、及び、音響信号を出力する機器と共に用いられるアダプタ装置に関するものである。
【０００２】
【従来の技術】
従来から、ヘッドホン等による音楽聴取機能を有し音響信号をヘッドホンジャック等から出力する種々の携帯機器やその他の機器が提供されている。なお、このような携帯機器としては、例えば、携帯電話機、半導体メモリ等を用いたオーディオプレーヤ、携帯型パーソナルコンピュータ、カセットテープやＭＤやＣＤ等の再生専用機や録音再生機などを、挙げることができる。
【０００３】
このような機器を用いて、例えば、カラオケ楽曲パートを聴取しつつ音声パートを歌唱して楽しむ場合には、カラオケ楽曲パートを、当該携帯機器のヘッドホンジャックに接続したヘッドホンや当該携帯機器等の内部スピーカで鳴らし、それに合わせ肉声（マイク無し）で歌っていた。
【０００４】
しかし、この場合、手軽に楽しむことができる反面、音声パートに関しては単に自分の肉声がそのまま聞こえるのみで、カラオケ楽曲パートと歌唱音声パートの効果的な結合ができないため、本来のカラオケと同様の臨場感を得ることは不可能であった。このため、カラオケの楽しみが大きく減殺されていた。
【０００５】
これに対し、下記の特許文献１には、テープレコーダの再生音にマイクロホンからの音を合成して出力するミキシング機能を有するテープレコーダが、開示されている。このテープレコーダでは、再生ヘッドからの信号をヘッド用増幅器で増幅して第１の音響信号を得る一方、マイクロホンからの信号をマイクロホン用増幅器で増幅して第２の音響信号を得て、前記第１及び第２の音響信号を合成用増幅器（ミキシングアンプ）で合成して合成信号を得、この合成信号を電力増幅器で増幅し、増幅された合成信号をスピーカに供給することで、再生音とマイクロホンからの音との合成音を発生させている。
【０００６】
したがって、このテープレコーダによれば、カラオケ楽曲パートを再生するとともに、マイクロホンを用いて音声パートを歌唱すれば、両者の音響の合成音が発生するため、手軽に楽しむことができるとともに、本来のカラオケと同様の臨場感を得ることができる。
【０００７】
【特許文献１】
特許第２６６７４７２号公報
【０００８】
【発明が解決しようとする課題】
しかしながら、特許文献１に開示されたテープレコーダのようなミキシング機能を有する機器は、一般的なものではないため、ミキシング機能を有していない一般の携帯機器等を用いてカラオケ等を手軽に楽しもうとすると、結局、本来のカラオケ等と同様の臨場感などを得ることは不可能であった。また、既存の機器とは別に、特許文献１に開示されたテープレコーダのようなミキシング機能を有する機器を用意しようとすると、著しく不経済である。
【０００９】
また、特許文献１に開示されたテープレコーダにおいて採用されている音響合成回路では、ヘッド用増幅器及びマイクロホン用増幅器の他に、第１及び第２の音響信号を合成する合成用増幅器が用いられているため、その分電力利用効率が低下し、消費電力が多くなってしまう。したがって、このような音響合成回路を、例えば、電池により作動する携帯機器等に搭載する場合、当該携帯機器等の駆動時間が短くなってしまうなどの不都合が生ずる。また、合成用増幅器の分のコストアップを免れない。
【００１０】
本発明は、このような事情に鑑みてなされたもので、ミキシング機能を有していない一般の機器を用いつつ、例えばカラオケ等を手軽かつ廉価に楽しむことができると同時に、例えば本来のカラオケ等と同様の臨場感を得ることができ、しかも消費電力及びコストを低減することができるアダプタ装置を提供することを目的とする。
【００１１】
また、本発明は、消費電力及びコストを低減することができる音響合成方法を提供することを目的とする。
【００１２】
【課題を解決するための手段】
前記課題を解決するため、本発明の第１の態様による音響合成方法は、第１の増幅器から出力される第１の音響信号が示す第１の音響と、第２の増幅器から出力される第２の音響信号が示す第２の音響とを合成した合成音を発生させる音響合成方法であって、前記第１の音響信号を第１の電気抵抗手段を介して電気音響変換器に供給するとともに、前記第２の音響信号を第２の電気抵抗手段を介して前記電気音響変換器に供給することで、前記第１及び第２の音響信号を前記電気音響変換器上で直に合成するものである。
【００１３】
この第１の態様によれば、第１及び第２の音響信号がそれぞれ第１及び第２の電気抵抗手段を介して電気音響変換器に供給され、第１及び第２の音響信号が電気音響変換器上で直に合成される。したがって、前記第１の態様によれば、従来の音響合成回路で設けられていた合成用増幅器が存在しないため、その分電力利用効率を高めることができて消費電力を低減することができるとともに、合成用増幅器の分のコストを低減することができる。
【００１４】
なお、前記機器は、携帯機器でもよいし、据え置き型の機器でもよい。前記電気音響変換器は、例えば、ヘッドホンのボイスコイルでもよいし、スピーカでもよい。これらの点は、後述する各態様についても同様である。
【００１５】
本発明の第２の態様による音響合成方法は、前記第１の態様において、前記第１の音響信号を第１の電気抵抗手段を介して前記電気音響変換器の一方の端子に供給するとともに、前記第２の音響信号を第２の電気抵抗手段を介して前記電気音響変換器の前記一方の端子に供給し、前記電気音響変換器の他方の端子を前記第１及び第２の増幅器と共通の接地電位に接地するものである。
【００１６】
この第２の態様は、第１の増幅器及び第１の電気抵抗手段の部分と第２の増幅器及び第２の電気抵抗手段の部分と電気音響変換器とを、並列的に接続した例を挙げたものである。
【００１７】
本発明の第３の音響合成方法は、前記第１の態様において、前記第１の音響信号を第１の電気抵抗手段を介して前記電気音響変換器の一方の端子に供給するとともに、前記第２の音響信号を第２の電気抵抗手段を介して前記電気音響変換器の他方の端子に供給し、前記第１及び第２の増幅器の接地を共通電位とするものである。
【００１８】
この第３の態様は、第１の増幅器及び第１の電気抵抗手段の部分と第２の増幅器及び第２の電気抵抗手段の部分と電気音響変換器とを、直列的に接続した例を挙げたものである。
【００１９】
本発明の第４の態様によるアダプタ装置は、第１の音響信号を出力する機器と共に用いられるアダプタ装置であって、前記機器に接続される第１の外部接続部と、電気音響変換器に接続される第２の外部接続部と、前記第１及び第２の外部接続部に前記機器及び前記電気音響変換器がそれぞれ接続されたときに、前記第１の音響信号が示す第１の音響と第２の音響信号が示す第２の音響とを合成した合成音を前記電気音響変換器に発生させる回路と、を備え、前記機器は、前記第１の音響信号を出力する第１の増幅器を含み、前記第２の音響信号は第２の増幅器から出力され、前記回路は、前記第１及び第２の外部接続部に前記機器及び前記電気音響変換器がそれぞれ接続されたときに、前記第１の増幅器から出力される前記第１の音響信号が第１の電気抵抗手段を介して前記電気音響変換器の一方の端子に供給されるように、前記第１及び第２の外部接続部間を連係させる手段と、前記第２の増幅器から出力される前記第２の音響信号が第２の電気抵抗手段を介して前記電気音響変換器の前記一方の端子に供給されるように、前記第２の増幅器と前記第２の外部接続部との間を連係させる手段と、前記電気音響変換器の他方の端子を前記第１及び第２の増幅器と共通の接地電位に接地する手段と、を含み、前記第１及び第２の音響信号を前記電気音響変換器上で直に合成するものである。
【００２０】
この第４の態様によれば、ミキシング機能を有していない機器に対してミキシング機能を付加することができる。したがって、この第４の態様によれば、ミキシング機能を有していない一般の機器を用いつつ、例えばカラオケ等を手軽かつ廉価に楽しむことができると同時に、例えば本来のカラオケ等と同様の臨場感を得ることができる。
【００２１】
また、前記第４の態様によるアダプタ装置は、前記電気音響変換器並びに前記第１及び第２の電気抵抗手段と共に、前記第２の態様による音響合成方法を実現する装置を構成することになる。したがって、前記第４の態様によれば、従来の音響合成回路で設けられていた合成用増幅器が存在しないため、その分電力利用効率を高めることができて消費電力を低減することができるとともに、合成用増幅器の分のコストを低減することができる。
【００２２】
本発明の第５の態様によるアダプタ装置は、前記第４の態様において、本体をなす筐体と、該筐体に設けられた接続部に基端側が接続されるかあるいは前記筐体から導出されたケーブルと、を備え、前記第１及び第２の外部接続部は前記筐体外に配置され、前記第１及び第２の外部接続部は、前記ケーブルの所定信号線の少なくとも基端側部分を共通して用いることで、これを介して前記筐体内に対してそれぞれ配線されるものである。
【００２３】
前記第４の態様では、例えば、第１及び第２の外部接続部をそれぞれ別々のケーブルを用いて本体の筐体内に配線してもよいが、この場合には、第１及び第２の外部接続部の配線のために前記筐体から出るケーブルの本数が２本となる。これに対し、前記第５の態様では、第１及び第２の外部接続部の配線のために前記筐体から出るケーブルの本数が１本ですむ。したがって、前記第５の態様によれば、使用時の外観やケーブルの取り回しが良くなり、また、タッチノイズ（ケーブルやマイク本体に機械的に触れた時にその振動がマイクカプセルに伝わることで生ずる雑音）なども低減される。
【００２４】
本発明の第６の態様によるアダプタ装置は、第１の音響信号を出力する機器と共に用いられるアダプタ装置であって、前記機器に接続される第１の外部接続部と、電気音響変換器に接続される第２の外部接続部と、前記第１及び第２の外部接続部に前記機器及び前記電気音響変換器がそれぞれ接続されたときに、前記第１の音響信号が示す第１の音響と第２の音響信号が示す第２の音響とを合成した合成音を前記電気音響変換器に発生させる回路と、を備え、前記機器は、前記第１の音響信号を出力する第１の増幅器を含み、前記第２の音響信号は第２の増幅器から出力され、前記回路は、前記第１及び第２の外部接続部に前記機器及び前記電気音響変換器がそれぞれ接続されたときに、前記第１の増幅器から出力される前記第１の音響信号が第１の電気抵抗手段を介して前記電気音響変換器の一方の端子に供給されるように、前記第１及び第２の外部接続部間を連係させる手段と、前記第２の増幅器から出力される前記第２の音響信号が第２の電気抵抗手段を介して前記電気音響変換器の他方の端子に供給されるように、前記第２の増幅器と前記第２の外部接続部との間を連係させる手段と、前記第１及び第２の増幅器の接地が共通電位となるように接続する手段と、を含み、前記第１及び第２の音響信号を前記電気音響変換器上で直に合成するものである。
【００２５】
この第６の態様によれば、ミキシング機能を有していない機器に対してミキシング機能を付加することができる。したがって、この第６の態様によれば、ミキシング機能を有していない一般の機器を用いつつ、例えばカラオケ等を手軽かつ廉価に楽しむことができると同時に、例えば本来のカラオケ等と同様の臨場感を得ることができる。
【００２６】
また、前記第６の態様によるアダプタ装置は、前記電気音響変換器並びに前記第１及び第２の電気抵抗手段と共に、前記第３の態様による音響合成方法を実現する装置を構成することになる。したがって、前記第６の態様によれば、従来の音響合成回路で設けられていた合成用増幅器が存在しないため、その分電力利用効率を高めることができて消費電力を低減することができるとともに、合成用増幅器の分のコストを低減することができる。
【００２７】
本発明の第７の態様によるアダプタ装置は、前記第４乃至第６のいずれかの態様において、前記機器は、前記第１の音響信号を、前記第１の増幅器の出力端から、前記第１の電気抵抗手段の少なくとも一部を構成する抵抗器を介して、外部に出力するものである。
【００２８】
この第７の態様は、前記機器側に前記第１の電気抵抗手段の少なくとも一部が設けられた例を挙げたものである。
【００２９】
本発明の第８の態様によるアダプタ装置は、前記第４乃至第７のいずれかの態様において、前記第１の電気抵抗手段の少なくとも一部を構成する抵抗器を備えたものである。
【００３０】
この第８の態様は、当該アダプタ装置側に前記第１の電気抵抗手段の少なくとも一部が設けられた例を挙げたものである。
【００３１】
本発明の第９の態様によるアダプタ装置は、前記第４乃至第６のいずれかの態様において、前記第１の電気抵抗手段の少なくとも一部を構成する抵抗器と、該抵抗器の有効・無効を切り換えるスイッチ手段と、を備えたものである。
【００３２】
この第９の態様によれば、前記機器側に前記第１の電気抵抗手段を構成する抵抗器が設けられていても設けられていなくても、その機器に合わせて前記スイッチ手段を切り換えることで、前記第１の増幅器から出力される第１の音響信号を、適切な抵抗値を持つ第１の電気抵抗手段を介して電気音響変換器に供給することができる。したがって、当該アダプタ装置の汎用性を高めることができる。
【００３３】
本発明の第１０の態様によるアダプタ装置は、前記第４乃至第９のいずれかの態様において、前記第２の増幅器の出力レベルのダイナミックレンジが、前記第１の増幅器の出力レベルのダイナミックレンジより広いものである。
【００３４】
例えば、カラオケ楽曲と肉声のヴォーカルとを合成する場合、前記第１の音響信号がカラオケ楽曲の音響信号とされ、前記第２の音響信号をマイクロホンからの信号に基づく音響信号とされる。この場合、カラオケ楽曲の音響信号の場合、一般にレベルのピークが管理されて抑えられているのに対し、肉声のヴォーカル信号は非常に大きなピークレベルを持っている。したがって、前記第１０の態様によれば、例えば、肉声ヴォーカル信号を増幅する第２の増幅器の出力レベルのダイナミックレンジが、カラオケ楽曲信号を増幅する第１の増幅器の出力レベルのダイナミックレンジより広いので、ヴォーカルとカラオケ楽曲との高品質の合成音を得ることができる。
【００３５】
本発明の第１１の態様によるアダプタ装置は、前記第４乃至第１０のいずれかの態様において、前記第２の増幅器が前記第１の増幅器より高い電源電圧にて作動され、前記第２の電気抵抗手段の抵抗値が前記第１の電気抵抗手段の抵抗値より高いものである。
【００３６】
この第１１の態様は、前記第１及び第２の増幅器が、出力電圧の最大値が電源電圧に依存するような増幅器（例えば、ＢＴＬ（Ｂｒｉｄｇｅｄ  Ｔｒａｎｓｌｅｓｓ）アンプやＯＴＬ（Ｏｕｔｐｕｔ  Ｔｒａｎｓｌｅｓｓ）アンプなど）である場合に特に有効である。この第１１の態様によれば、第２の電気抵抗手段の抵抗値が第１の電気抵抗手段の抵抗値より高いので、前記機器から供給される第１の音響信号が示す音響の音量低下量を抑えることができる。また、第２の増幅器が第１の増幅器より高い電源電圧にて作動されるので、第２の音響信号が示す音響の音量低下も抑制することができる。
【００３７】
本発明の第１２の態様によるアダプタ装置は、前記第４乃至第１１のいずれかの態様において、当該アダプタ装置に対する給電をオンオフする給電用スイッチを備えたものである。
【００３８】
この第１２の態様によれば、前記給電用スイッチをオンオフすることで、前記第２の増幅器の作動がオンオフされるので、第２の音響信号が示す第２の音響を選択的にオンオフすることができる。すなわち、前記給電用スイッチをオンオフすることで、第１の音響信号が示す第１の音響と第２の音響信号が示す第２の音響とを合成した合成音が電気音響変換器から発する状態と、第１の音響信号が示す第１の音響のみが電気音響変換器から発する状態とを、切り換えることができる。したがって、使い勝手が良いとともに、無駄な電力を消費することがない。
【００３９】
本発明の第１３の態様によるアダプタ装置は、前記第４乃至第１１のいずれかの態様において、当該アダプタ装置は前記機器から給電され、前記機器は当該アダプタ装置に対する給電を選択的にオンオフする給電用スイッチを有するものである。
【００４０】
前記第１２の態様では、当該アダプタ装置は、電池が搭載されて該電池から給電されてもよいし、前記機器から給電されてもよい。前記第１３の態様は、当該アダプタ装置が前記機器から給電される場合において、前記第１２の態様における給電用スイッチを前記機器に設けた例を挙げたものである。前記機器は、通常は種々の操作部を有しているので、前記第１３の態様のように給電用スイッチを当該アダプタ装置ではなく前記機器に設けると、この給電用スイッチも前記機器の操作部の一部をなすことになり、前記第１２の態様に比べて使い勝手をより向上させることができる。
【００４１】
本発明の第１４の態様によるアダプタ装置は、前記第１２又は第１３の態様において、前記第２の増幅器の出力端と接地との間に抵抗器が介在されたものである。この第１４の態様では、例えば、前記第２の増幅器の出力端と前記抵抗器との間に直流阻止用コンデンサ等を設けてもよい。
【００４２】
前記第１２及び第１３の態様では、前記スイッチをオフすると、前記第２の増幅器の作動がオフになるので、前記第１の音響信号は、前記第２の増幅器を構成する半導体素子の非線形性等の影響を受けて歪んでしまい、第１の音響の品質が劣化する可能性がある。この点、前記第１４の態様によれば、前記第２の増幅器の出力端と接地との間に抵抗器が介在されているので、この抵抗器の抵抗値を比較的小さい値にしておくことで、前記非線形性等の影響が低減され、給電用スイッチをオフした場合における第１の音響の品質が向上する。
【００４３】
また、前記第１２及び第１３の態様では、給電用スイッチをオフすると、前記第２の増幅器の作動がオフになるので、前記第２の増幅器の内部インピーダンスが高くなってしまう。その結果、例えば、左右のステレオ信号に対応するべく、前記第１の増幅器、前記第１の電気抵抗手段及び前記電気音響変換器を２組設けた場合、左右のチャンネル間のクロストークが大きくなる可能性がある。この点、前記第１４の態様によれば、前記第２の増幅器の出力端と接地との間に抵抗器が介在されているので、この抵抗器の抵抗値を比較的小さい値にしておくことで、給電用スイッチのオフに伴い前記第２の増幅器の内部インピーダンスが高くなっても、第２の増幅器の出力端と接地との間のインピーダンスの上昇を抑えることができ、これにより、前述したような左右のチャンネル間のクロストークを低減することができる。
【００４４】
なお、本発明では、前記第４乃至第１４のいずれかの態様において、例えば、以下に説明するようにしてもよい。
【００４５】
（１）前記第４乃至第１４のいずれかの態様において、外部マイクロホンが接続される第３の外部接続部と、前記第２の増幅器と、前記第２の電気抵抗手段とを備え、前記第２の増幅器は、前記外部マイクロホンが前記第３の外部接続部に接続されたときに、前記外部マイクロホンの出力信号に基づく信号を増幅して前記第２の音響信号を出力してもよい。この場合、前記機器からの音響信号が示す音響と外部マイクロホンからの信号に基づく音響信号が示す音響とを合成することができるので、外部マイクロホンを用いて手軽にカラオケを楽しむことができるとともに、本来のカラオケと同様の臨場感を得ることができる。
【００４６】
（２）前記第４乃至第１４のいずれかの態様において、内部マイクロホンと、前記第２の増幅器と、前記第２の電気抵抗手段とを備え、前記第２の増幅器は、前記内部マイクロホンの出力信号に基づく信号を増幅して前記第２の音響信号を出力してもよい。この場合も、前記（１）と同様の利点が得られる。
【００４７】
（３）前記第４乃至第１４のいずれかの態様において、外部マイクロホンが接続される第３の外部接続部と、内部マイクロホンと、前記第２の増幅器と、前記第２の電気抵抗手段とを備え、前記第２の増幅器は、前記外部マイクロホン及び前記内部マイクロホンのうちの選択された一方のマイクロホンの出力信号に基づく信号を増幅して前記第２の音響信号を出力してもよい。この場合、前記（１），（２）と同様の利点が得られるが、内部マイクロホン及び外部マイクロホンを選択的に利用できるので、使い勝手が向上する。
【００４８】
（４）前記（１）〜（３）のいずれかの場合において、前記外部マイクロホン又は前記内部マイクロホンの出力信号に対して音響効果を付与した信号を出力する音響効果付与回路を備え、前記第２の増幅器は、前記音響効果付与回路の出力信号を増幅して前記第２の音響信号を出力してもよい。前記音響効果付与回路が付与する音響効果の例として、エコー、声質変換（ボイスチェンジ）、いわゆるハモリ効果などを挙げることができる。前記音響効果付与回路は、これらのうちの１つの効果を付与するように構成してもよいし、使用者の操作に応じて複数の効果のうちから選択した効果を付与するように構成してもよい。この場合、音声に対して音響効果が付与されるので、本来のカラオケに一層近い臨場感を得たり、当該音響効果を楽しんだりすることができる。
【００４９】
（５）前記第４乃至第１４のいずれかの態様において、あるいは、前記（１）〜（４）のいずれかの場合において、前記第２の音響信号を出力する前記機器以外の外部機器に接続される第４の外部接続部を備えてもよい。この場合、例えば、前記外部機器として各種電子楽器を用いれば、前記機器で当該楽器以外のパートの楽音パート等を発生させることで、当該楽音パートとの合奏等を楽しんだり当該楽器を効果的に練習したりすることができる。
【００５０】
（６）前記（５）の場合において、前記外部機器は前記第２の増幅器を含み、前記外部機器は、前記第２の電気抵抗手段の少なくとも一部を構成する抵抗器を備えてもよい。
【００５１】
（７）前記（５）又は（６）の場合において、前記外部機器は前記第２の増幅器を含み、前記第２の電気抵抗手段の少なくとも一部を構成する抵抗器を備えてもよい。
【００５２】
（８）前記第４乃至第１４のいずれかの態様において、あるいは、前記（１）〜（７）のいずれかの場合において、当該アダプタ装置は前記機器から給電されてもよい。この場合、当該アダプタ装置には電池等が不要となり、その取り扱いが容易となる。
【００５３】
（９）前記第４乃至第１４のいずれかの態様（ただし、前記第１３の態様を除く。）において、あるいは、前記（１）〜（７）のいずれかの場合において、当該アダプタ装置は、電池が搭載され、該電池から給電されてもよい。この場合、アダプタ装置が自身に搭載された電池から給電されるので、前記機器の電池等の電力を余分に消費することがなく、前記機器が電池で作動するものであっても、その駆動時間を延ばすことができる。また、アダプタ装置と前記機器との間で給電のためのインターフェースが不要となる。
【００５４】
（１０）前記第１２乃至第１４のいずれかの態様において、前記給電用スイッチの投入後の一定時間前記第２の増幅器の出力を抑制する手段を備えてもよい。この場合、第２の増幅器の出力が給電用スイッチの投入後の一定期間抑制されるので、給電用スイッチ投入時のポップ雑音が低減され、使用者に不快感を与えることがない。
【００５５】
（１１）前記第１２又は第１３の態様において、前記給電用スイッチに連動してオンオフして、前記給電用スイッチがオフの場合に前記第２の増幅器の出力端と前記第２の外部接続部との間をオフにするスイッチ手段を備えてもよい。この場合、給電用スイッチがオフの場合に前記スイッチ手段により第２の増幅器の出力端が電気音響変換器から切り離されるので、給電用スイッチのオフに伴う前記第２の増幅器の非線形性及び内部インピーダンスの上昇の影響を防止することができる。
【００５６】
（１２）前記第４乃至第１４のいずれかの態様において、あるいは、前記（１）〜（１１）のいずれかの場合において、前記第２の外部接続部を電気的に並列に複数設けてもよい。この場合、これらの第２の外部接続部にそれぞれ例えばヘッドホン等の電気音響変換器を接続することで、合成音を複数人で聴くことができる。前記第２の外部接続部が単一である場合には、例えば、ヘッドホンを利用してカラオケを歌っている人のみしかカラオケ楽曲パートを聴くことができず、他の人に対しては歌唱音声パートしか聞こえないという、不自然な状態となる。これに対し、（１２）の場合は、歌っている本人のみならず他の人も合成音を聴くことができるので、前述したような不自然な状態を避けることができる。また、前記第２の外部接続部を用いて前記合成音を示す合成信号を外部アンプや録音機に供給することも可能であるが、（１２）の場合は、前記第２の外部接続部が複数設けられているので、ヘッドホン等によるカラオケを楽しみつつ、そのカラオケの合成音を録音したり外部アンプや外部大型スピーカを利用してその合成音を拡声することも可能である。
【００５７】
【発明の実施の形態】
以下、本発明による音響合成方法及びアダプタ装置について、図面を参照して説明する。
【００５８】
［第１の実施の形態］
【００５９】
図１は、本発明の第１の実施の形態によるアダプタ装置１、並びに、このアダプタ装置１と共に用いられる携帯機器２、外部マイクロホン３及びステレオヘッドホン４を示す回路図である。ただし、図１では、携帯機器２については、アダプタ装置１と関連する部分の回路のみを示している。図２は、図１に示すアダプタ装置１、携帯機器２、外部マイクロホン３及びステレオヘッドホン４の使用状態を示す概略図である。
【００６０】
図１に示す例では、携帯機器２は、２チャンネルステレオカラオケ楽曲再生機能付き携帯電話機として構成されている。もっとも、本発明では、携帯機器２は、半導体メモリ等を用いたオーディオプレーヤ、携帯型パーソナルコンピュータ、カセットテープやＭＤやＣＤ等の再生専用機や録音再生機などでもよいし、ステレオ音響信号ではなくモノラル音響信号を出力するものでもよい。また、携帯機器２が出力する音響信号は、必ずしもカラオケ楽曲を示すものに限定されるものではない。さらに、本発明によるアダプタ装置は、携帯機器２に代えて、据え置き型の機器と共に用いてもよい。
【００６１】
携帯機器２は、図１に示すように、カラオケ楽曲等の右チャンネル音響信号（右チャンネルの第１の音響信号）を出力する増幅器１１Ｒと、カラオケ楽曲等の左チャンネル音響信号（左チャンネルの第１の音響信号）を出力する増幅器１１Ｌと、携帯機器２の電源となる電池１２と、外部接続部としてのジャック１３とを備えている。増幅器１１Ｒ，１１Ｌは、電池１２からの電源電圧＋ＶＤ１により作動する。ジャック１３は、端子１３ａ〜１３ｄを有している。端子１３ａには、電池１２の正極が接続され、電源電圧＋ＶＤ１が印加されている。電池１２の負極は接地されている。増幅器１１Ｒ，１１Ｌの基準端子が接地されるとともに、増幅器１１Ｒ，１１Ｒの電源端子に電源電圧＋ＶＤ１が印加され、これにより、増幅器１１Ｒ，１１Ｌは接地電位を基準としてほぼ０Ｖから＋ＶＤ１の範囲のレベルの信号を出力し得るようになっている。増幅器１１Ｒ，１１Ｌの出力端は、直流阻止用コンデンサ１４Ｒ，１４Ｌ及び抵抗器１５Ｒ，１５Ｌをそれぞれ介して、端子１３ｂ，１３ｄにそれぞれ接続されている。端子１３ｃは、携帯機器２内の接地ラインに接続されている。
【００６２】
以上の説明からわかるように、増幅器１１Ｒから出力された右チャンネル音響信号は、コンデンサ１４Ｒ及び抵抗器１５Ｒを介して、ジャック１３の端子１３ｂから外部へ出力される。また、増幅器１１Ｌから出力された左チャンネル音響信号は、コンデンサ１４Ｌ及び抵抗器１５Ｌを介して、ジャック１３の端子１３ｄから外部へ出力される。
【００６３】
外部マイクロホン３は、図１及び図２に示すように、マイクロホンケーブル２１の一端に設けられたマイクロホン素子部２２と、マイクロホンケーブル２１の他端に設けられた接続部としてのプラグ２３とを有している。プラグ２３のプラグ端子２３ａは、マイクロホン素子部２２の一方端子に接続されている。プラグ２３のプラグ端子２３ｂは、マイクロホン素子部２２の他方端子に接続されている。
【００６４】
ステレオヘッドホン４は、図１及び図２に示すように、それぞれ電気音響変換器としての右チャンネル用のボイスコイル４Ｒ及び左チャンネル用のボイスコイル４Ｌと、ヘッドホンケーブル２５の基端に設けられた接続部としてのプラグ２６とを有している。プラグ２６は、端子２６ａ〜２６ｃを有している。ボイスコイル４Ｒの一方端子は端子２６ａに接続され、ボイスコイル４Ｌの一方端子は端子２６ｃに接続されている。ボイスコイル４Ｒ，４Ｌの他方端子は、端子２６ｂに共通に接続されている。
【００６５】
本実施の形態では、アダプタ装置１は、図１に示すように、携帯機器２のジャック１３に接続される第１の外部接続部としてのプラグ３１と、ステレオヘッドホン４のプラグ２６が接続される第２の外部接続部としてのジャック３２と、外部マイクロホン３のプラグ２３が接続される第３の外部接続部としてのジャック３３とを備えている。
【００６６】
プラグ３１は、携帯機器２のジャック１３に接続されたときに、ジャック１３の端子１３ａ〜１３ｄとそれぞれ接続される端子３１ａ〜３１ｄを有している。図１及び図２に示すように、アダプタ装置１の大部分の構成要素はアダプタ装置本体３０に設けられているが、この本体３０の筐体からケーブル（本実施の形態では、４芯ケーブル）３４が導出され、このケーブル３４の先端にプラグ３１が設けられている。ケーブル３４の基端側が本体内に導入されて各芯線が内部端子３５ａ〜３５ｄにそれぞれ接続されており、これにより、プラグ３１の端子３１ａ〜３１ｄが内部端子３５ａ〜３５ｄにそれぞれ接続されている。なお、本実施の形態では、使用者はケーブル３４を本体３０から取り外せないようになっているが、例えば、ケーブル３４の基端側にプラグを設けるとともに、内部端子３５ａ〜３５ｄに代えて、当該プラグに接続されるジャックを本体３０に設け、使用者がケーブル３４を本体３０に対して着脱し得るようにしてもよい。
【００６７】
ジャック３２は、ヘッドホン４のプラグ２６が接続されたときに、プラグ２６の端子２６ａ〜２６ｃとそれぞれ接続される端子３２ａ〜３２ｃを有している。
【００６８】
ジャック３３は、接地端子３３ａと、固定端子３３ｂと、開閉端子３３ｃとを有している。ジャック３３に外部マイクロホン３のプラグ２３が接続されていないときには、固定端子３３ｂと開閉端子３３ｃとが電気的に導通する一方、ジャック３３に外部マイクロホン３のプラグ２３が接続されているときには、固定端子３３ｂと開閉端子３３ｃとが不導通状態となる。また、ジャック３３に外部マイクロホン３のプラグ２３が接続されたときに、外部マイクロホン３のプラグ２３の端子２３ａ，２３ｂが接地端子３３ａ及び固定端子３３ｂにそれぞれ接続される。
【００６９】
アダプタ装置本体３０内において、各構成要素が次のように接続されている。
【００７０】
内部端子３５ｃは、アダプタ装置本体３０内の接地ラインに接続されている。したがって、プラグ３１が携帯機器２のジャック１３に接続されたときに、携帯機器２の接地とアダプタ装置本体３０内の接地とが共通に接続され、両者の接地が共通の接地電位となる。
【００７１】
内部端子３５ａは、手動操作される給電用スイッチ４１を介して、ＤＣ−ＤＣコンバータ４２の入力端子に接続されている。ＤＣ−ＤＣコンバータ４２の基準端子は接地されている。ＤＣコンバータ４２は、プラグ３１が携帯機器２のジャック１３に接続されかつ給電用スイッチ４１が投入されると、携帯機器２の電池１２の電源電圧＋ＶＤ１をアダプタ装置１の電源電圧＋ＶＤ２（＋ＶＤ２＞＋ＶＤ１）に昇圧して出力する。後述するＡＬＣ（自動利得制御）回路４５、音響効果付与回路４７及び増幅器４８は、この電源電圧＋ＶＤ２を受けて作動するようになっている。
【００７２】
内部端子３５ｂ，３５ｄは、ジャック３２の端子３２ａ，３２ｃにそれぞれ接続されている。したがって、プラグ３１が携帯機器２のジャック１３に接続されかつヘッドホン４のプラグ２６がジャック３２に接続されたときに、携帯機器２の増幅器１１Ｒ，１１Ｌからそれぞれ出力される右チャンネル音響信号及び左チャンネル音響信号が、右チャンネル用及び左チャンネル用の第１の電気抵抗手段としての抵抗器１５Ｒ，１５Ｌをそれぞれ介して、ヘッドホン４の右チャンネル用のボイスコイル４Ｒの一方端子及び左チャンネル用のボイスコイル４Ｌの一方端子にそれぞれ供給される。
【００７３】
このように、本実施の形態では、第１の外部接続部としてのプラグ３１の端子３１ｂから内部端子３５ｂを介して第２の外部接続部としてのジャック３２の端子３２ａへ至る接続路が、プラグ３１とジャック１３との間及びプラグ２６とジャック３２との間が接続されたときに、携帯機器２の増幅器１１Ｒから出力される右チャンネル音響信号（右チャンネルの第１の音響信号）が右チャンネル用の第１の電気抵抗手段としての抵抗器１５Ｒを介してヘッドホン４の右チャンネル用のボイスコイル４Ｒの一方端子に供給されるように、プラグ３１とジャック３２とを連係させる手段を構成している。同様に、第１の外部接続部としてのプラグ３１の端子３１ｄから内部端子３５ｄを介して第２の外部接続部としてのジャック３２の端子３２ｃへ至る接続路が、プラグ３１とジャック１３との間及びプラグ２６とジャック３２との間がそれぞれ接続されたときに、携帯機器２の増幅器１１Ｌから出力される左チャンネル音響信号（左チャンネルの第１の音響信号）が左チャンネル用の第１の電気抵抗手段としての抵抗器１５Ｌを介してヘッドホン４の左チャンネル用のボイスコイル４Ｌの一方端子に供給されるように、プラグ３１とジャック３２とを連係させる手段を構成している。
【００７４】
また、ジャック３２の端子３２ｂは接地されている。したがって、ヘッドホン４のプラグ２６がジャック３２に接続されたときに、ヘッドホン４の各ボイスコイル４Ｒ，４Ｌの他方端子は、アダプタ装置１内の接地ラインに接続される。
【００７５】
さらに、ジャック３３の接地端子３３ａは接地されている。ジャック３３の開閉端子３３ｃは、内部マイクロホン４４の一方端子に接続されている。内部マイクロホン４４の他方端子は接地されている。ジャック３３の固定端子３３ｂは、ＡＬＣ回路４５の入力端子に接続されている。したがって、外部マイクロホン３のプラグ２３がジャック３３に接続されていないときには、内部マイクロホン４４からの信号がＡＬＣ回路４５の入力端子に選択的に入力される一方、外部マイクロホン３のプラグ２３がジャック３３に接続されているときには、外部マイクロホン３からの信号がＡＬＣ回路４５の入力端子に選択的に入力される。
【００７６】
ＡＬＣ回路４５は、その入力端子に入力された内部マイクロホン４４又は外部マイクロホン３からの信号を、出力レベルが一定レベルで抑えられるように利得をフィードバック制御して増幅する機能を有する。これにより、マイクロホン４４，３からの音声入力信号のレベルが大きく変化しても、ＡＬＣ回路４５から一定レベルに調整された信号が得られ、いわゆる音割れ等が生じないようになっている。また、本実施の形態では、ＡＬＣ回路４５には使用者の操作により抵抗値が変化する可変抵抗器４６が接続されており、可変抵抗器４６により前記一定レベルを調整し得るようになっている。したがって、本実施の形態では、使用者の操作によりマイクロホンの感度を調整し得るようになっている。ＡＬＣ回路４５の基準端子は接地され、ＡＬＣ回路４５の電源端子は前記ＤＣ−ＤＣコンバータ４２の出力端子に接続され、ＡＬＣ回路４５は前記電源電圧＋ＶＤ２を受けて作動する。
【００７７】
ＡＬＣ回路４５の出力端子は、音響効果付与回路４７の入力端子に接続されている。本実施の形態では、音響効果付与回路４７は、ＡＬＣ回路４５の出力信号に対して音響効果としてのエコーを付加した信号を出力する機能を有している。もっとも、音響効果付与回路４７は、エコーの代わりに、声質変換（ボイスチェンジ）、いわゆるハモリ効果などの、他の音響効果を付与するように構成してもよい。また、音響効果付与回路４７はこれらのうちの１つの効果を付与するように構成してもよいし、使用者の操作に応じて複数の効果のうちから選択した効果を付与するように構成してもよい。このような音響効果付与回路４７は、例えばＤＳＰ（Ｄｉｇｉｔａｌ  Ｓｉｇｎａｌ  Ｐｒｏｃｅｓｓｏｒ）を用いて構成することができる。音響効果付与回路４７の基準端子は接地され、音響効果付与回路４７の電源端子は前記ＤＣ−ＤＣコンバータ４２の出力端子に接続され、音響効果付与回路４７は前記電源電圧＋ＶＤ２を受けて作動する。
【００７８】
音響効果付与回路４７の出力端子は、増幅器（第２の増幅器）４８の入力端子に接続されている。これにより、音響効果が付与された音声信号が増幅器４８で増幅され、増幅器４８から第２の音響信号として出力される。増幅器４８の基準端子は接地され、増幅器４８の電源端子は前記ＤＣ−ＤＣコンバータ４２の出力端子に接続され、これにより、増幅器４８は接地電位を基準としてほぼ０Ｖから＋ＶＤ２の範囲のレベルの信号を出力し得るようになっている。
【００７９】
本実施の形態では、アダプタ装置１には、図１に示すように、給電用スイッチ４１の投入後の一定時間増幅器４８の出力を抑制する抑制回路４９が設けられている。この抑制回路４９の一例を図３に示す。この例では、抑制回路４９は、コンデンサ６１，６２、抵抗器６３，６４及びトランジスタ６５が図示のように接続されて構成されている。給電用スイッチ４１の投入直後には、コンデンサ６１が充電されていないので、抵抗器６４の両端の電圧、すなわち、トランジスタ６５のベース・エミッタ間の電圧は高くなり、トランジスタ６５はオンし、これにより増幅器４８の入力端子がコンデンサ６２を介してプルダウンされる。その結果、増幅器４８の出力が抑制され、給電用スイッチ４１の投入時のポップ雑音等が低減され、使用者に不快感を与えることがない。そして、給電用スイッチ４１の投入からの時間経過に従い、コンデンサ６１及び抵抗器６３，６４によるＣＲ時定数によって、コンデンサ６１が充電されていく。これにより、トランジスタ６５のベース・エミッタ間の電圧は低下していく。やがてこの電圧が所定レベルを下回ると、トランジスタ６５がオフする。その結果、給電用スイッチ４１を投入してから一定時間経過後は、増幅器４８は、その出力が抑制されることなく、通常の増幅動作を行う。
【００８０】
再び図１を参照すると、増幅器４８の出力端子は、直流阻止用コンデンサ５０を介して、右チャンネル用及び左チャンネル用の第２の電気抵抗手段としての抵抗器５２Ｒ，５２Ｌの一端に接続されている。抵抗器５２Ｒの他端はジャック３２の端子３２ａに接続され、抵抗器５２Ｌの他端はジャック３２の端子３２ｃに接続されている。したがって、ヘッドホン４のプラグ２６がジャック３２に接続されたときに、増幅器４８から出力される第２の音響信号が、抵抗器５２Ｒ，５２Ｌをそれぞれ介して、ヘッドホン４の右チャンネル用のボイスコイル４Ｒの一方端子及び左チャンネル用のボイスコイル４Ｌの一方端子にそれぞれ供給される。
【００８１】
このように、本実施の形態では、増幅器４８の出力端子からコンデンサ５０及び抵抗器５２Ｒを介して第２の外部接続部としてのジャック３２の端子３２ａまで接続された部分が、ジャック３２とヘッドホン４のプラグ２６との間が接続されたときに、増幅器４８から出力される第２の音響信号が右チャンネル用の第２の電気抵抗手段としての抵抗器５２Ｒを介してヘッドホン４の右チャンネル用のボイスコイル４Ｒの一方端子に供給されるように、増幅器４８とジャック３２との間を連係させる手段を構成している。同様に、増幅器４８の出力端子からコンデンサ５０及び抵抗器５２Ｌを介して第２の外部接続部としてのジャック３２の端子３２ｃまで接続された部分が、ジャック３２とヘッドホン４のプラグ２６との間が接続されたときに、増幅器４８から出力される第２の音響信号が左チャンネル用の第２の電気抵抗手段としての抵抗器５２Ｌを介してヘッドホン４のＬチャンネル用のボイスコイル４Ｌの一方端子に供給されるように、増幅器４８とジャック３２との間を連係させる手段を構成している。
【００８２】
また、本実施の形態では、前述したように、プラグ３１の端子３１ｃが内部端子３５ｃを介してアダプタ装置１内の接地ラインに接続されるとともに、ジャック３２の端子３２ｃがアダプタ装置１内の接地ラインに接続され、この接地ラインに増幅器４８の基準端子が接続されている。これにより、ヘッドホン４のボイスコイル４Ｒ，４Ｌの他方端子が、増幅器１１Ｒ，１１Ｌ，４８と共通の接地電位に接地されている。
【００８３】
本実施の形態では、増幅器４８の出力端子と接地との間に抵抗５１が介在されているが、本発明では、この抵抗器５１は必ずしも設けなくてもよい。本実施の形態では、増幅器４８の出力端子と抵抗器５１との間に直流阻止用コンデンサ５０が設けられているが、本発明では、場合によっては、増幅器４８に相当する増幅器の出力端と抵抗器５１に相当する抵抗器との間に、必ずしもコンデンサを設ける必要はない。
【００８４】
ここで、ジャック１３とプラグ３１との間及びジャック３２とプラグ２６との間が接続され、給電用スイッチ４１が投入された使用状態を考える。
【００８５】
この使用状態における携帯機器２側から見た（すなわち、右チャンネル用及び左チャンネル用の第１の音響信号に着目した）ヘッドホン駆動等価回路は、図４（ａ）に示す通りとなる。携帯機器２側から見ると、図４（ａ）に示すように、増幅器１１Ｒ，１１Ｌはそれぞれ右チャンネル用及び左チャンネル用の第１の音響信号を出力する電圧源とみなせる。また、増幅器４８は、その出力側から見た作動時の内部インピーダンスに相当する抵抗値を持つ抵抗器であるとみなせる。本実施の形態では、左右のチャンネルの信号のクロストークを低減するため、増幅器４８として、出力側から見た作動時の内部インピーダンスが抵抗器５２Ｒ，５２Ｌの抵抗値より十分に小さいものが、用いられている。
【００８６】
例えば、ヘッドホン４のボイスコイル４Ｒ，４Ｌの内部インピーダンスがそれぞれ約３０Ωである場合、抵抗器１３Ｒ，１３Ｌの抵抗値をそれぞれ５０Ωとし、抵抗器５２Ｒ，５２Ｌの抵抗値をそれぞれ１００Ωとすることができる。このように、抵抗器５２Ｒ，５２Ｌの抵抗値は、抵抗器１３Ｒ，１３Ｌの抵抗値より高いことが好ましいが、例えば、抵抗器１３Ｒ，１３Ｌの抵抗値と同じく５０Ωとしてもよい。
【００８７】
なお、図１中の抵抗器５１は、音響合成の基本動作には影響がないので、図４（ａ）では省略している。また、図４（ａ）では、交流成分の経路のみを示しており、直流阻止用コンデンサ１４Ｒ，１４Ｌ，５０は省略している。これらの点は、後述する図４（ｂ）についても同様である。
【００８８】
図４（ａ）からわかるように、増幅器１１Ｒから出力される右チャンネル用の第１の音響信号は、抵抗器１５Ｒを介してヘッドホン４の右チャンネル用ボイスコイル４Ｒに供給される。また、増幅器１１Ｌから出力される左チャンネル用の第１の音響信号は、抵抗器１５Ｌを介してヘッドホン４の左チャンネル用ボイスコイル４Ｌに供給される。
【００８９】
前記使用状態におけるマイクロホン３，４４側から見た（すなわち、第２の音響信号に着目した）ヘッドホン駆動等価回路は、図４（ｂ）に示す通りとなる。マイクロホン３，４４側から見ると、図４（ｂ）に示すように、増幅器４８は第２の音響信号を出力する電圧源とみなせる。また、増幅器１１Ｒ，１１Ｌは、その出力側から見た作動時の内部インピーダンスに相当する抵抗値を持つ抵抗器であるとみなせる。本実施の形態では、増幅器１１Ｒ，１１Ｌとして、出力側から見た作動時の内部インピーダンスが抵抗器１５Ｒ，１５Ｌの抵抗値より十分に小さいものが、用いられている。
【００９０】
図４（ｂ）からわかるように、増幅器４８から出力される第２の音響信号は、抵抗器５２Ｒを介してヘッドホン４の右チャンネル用ボイスコイル４Ｒに供給されるとともに、抵抗器５２Ｌを介してヘッドホン４の左チャンネル用ボイスコイル４Ｌに供給される。このとき、抵抗器５２Ｒ，５２Ｌの抵抗値が互いに同一であるとともに、抵抗器１５Ｒ，１５Ｌの抵抗値が互いに同一であることから、増幅器４８から出力される第２の音響信号は、ボイスコイル４Ｒ，４Ｌに同相かつ同振幅で分配される。
【００９１】
以上の図４（ａ）及び図４（ｂ）を参照した説明からわかるように、右チャンネル用のボイスコイル４Ｒには、増幅器１１Ｒから出力された右チャンネル用の第１の音響信号、及び、増幅器４８から出力された第２の音響信号が、重畳して供給される。これにより、両音響信号がボイスコイル４Ｒ上で直に合成され、ヘッドホン４のボイスコイル４Ｒから、右チャンネル用の第１の音響信号が示す音響（例えば、右チャンネルカラオケ楽曲）と第２の音響信号が示す音響（例えば、エコーが付与された歌声）とを合成した合成音が、発生される。また、左チャンネル用のボイスコイル４Ｌには、増幅器１１Ｌから出力された左チャンネル用の第１の音響信号、及び、増幅器４８から出力された第２の音響信号が、重畳して供給される。これにより、両音響信号がボイスコイル４Ｌ上で直に合成され、ヘッドホン４のボイスコイル４Ｌから、左チャンネル用の第１の音響信号が示す音響（例えば、左チャンネルカラオケ楽曲）と第２の音響信号が示す音響（例えば、エコーが付与された歌声）とを合成した合成音が、発生される。したがって、ヘッドホン４を装着した使用者には、カラオケ楽曲等がステレオで聞こえると同時に、前述したように第２の音響信号がボイスコイル４Ｒ，４Ｌに同相かつ同振幅で分配されることから、ステレオの中央にモノラルの音像として定位した歌声等が聞こえる。
【００９２】
このように、本実施の形態によれば、ミキシング機能を有していない携帯機器２に対してミキシング機能を付加することができ、ミキシング機能を有していない一般の携帯機器２を用いつつ、例えばカラオケ等を手軽かつ廉価に楽しむことができると同時に、例えば本来のカラオケ等と同様の臨場感を得ることができる。
【００９３】
本実施の形態では、従来の音響合成回路で設けられていた合成用増幅器が用いられることなく、増幅器１１Ｒ，１１Ｌから発生される第１の音響信号と増幅器４８から出力される第２の音響信号とがヘッドホン４のボイスコイル４Ｒ，４Ｌ上でそれぞれ直に合成されている。発せられる合成音における第１の音響信号が示す音響（例えば、カラオケ楽曲）を発生させるための電力は、その１００％が携帯機器２の増幅器１１Ｒ，１１Ｌから供給される。また、発せられる合成音における第２の音響信号が示す音響（例えば、歌声）を発生させるための電力は、その１００％がアダプタ装置１の増幅器４８から供給される。
【００９４】
したがって、本実施の形態によれば、合成用増幅器を用いていた従来の音響合成回路に比べて電力利用効率が高まり消費電力を低減することができるとともに、第１の音響信号側の装置（本実施の形態では、携帯機器２）と第２の音響信号側の装置（本実施の形態では、アダプタ装置１）との独立性を高めることができる。また、本実施の形態によれば、合成用増幅器が存在しないため、その分のコストを低減することができる。さらに、合成用増幅器が存在しないため、それにより生じていた信号の歪み等が回避され、音質が向上する。
【００９５】
また、本実施の形態では、アダプタ装置１の電源電圧＋ＶＤ２が携帯機器２の電池１２による電源電圧＋ＶＤ１から生成され、アダプタ装置１が携帯機器２から給電されている。したがって、アダプタ装置１には電池等が不要となり、その取り扱いが容易となる。
【００９６】
そして、本実施の形態では、アダプタ装置１は、携帯機器２から給電されているにも拘わらず、携帯機器２の電池１２の電圧＋ＶＤ１がＤＣ−ＤＣコンバータ４２で電圧＋ＶＤ２に昇圧され、この昇圧された電圧＋ＶＤ２がアダプタ装置１の電源電圧とされ、この電源電圧＋ＶＤ２により増幅器４８が作動されている。一方、携帯機器２の増幅器１１Ｒ，１１Ｌは、電池１２による電源電圧＋ＶＤ１により作動されている。本実施の形態では、これにより、増幅器４８の出力レベルのダイナミックレンジが増幅器１１Ｒ，１１Ｌのダイナミックレンジより広くなるように設定されている。カラオケ楽曲と肉声のヴォーカルとを合成する場合、増幅器１１Ｒ，１１Ｌから出力される右チャンネル用及び左チャンネル用の第１の音響信号がカラオケ楽曲の音響信号とされ、増幅器４８から出力される第２の音響信号は外部マイクロホン３又は内部マイクロホン４４からの信号に基づく音響信号とされる。この場合、カラオケ楽曲の音響信号の場合、一般にレベルのピークが管理されて抑えられているのに対し、肉声のヴォーカル信号は非常に大きなピークレベルを持っている。したがって、本実施の形態によれば、例えば、肉声ヴォーカル信号を増幅する増幅器４８の出力レベルのダイナミックレンジが、カラオケ楽曲信号を増幅する増幅器１１Ｒ，１１Ｌの出力レベルのダイナミックレンジより広いので、ヴォーカルとカラオケ楽曲との高品質の合成音を得ることができる。
【００９７】
また、本実施の形態では、前述したように、増幅器１１Ｒ，１１Ｌが電圧＋ＶＤ１にて作動されるのに対し増幅器４８が電圧＋ＶＤ１より高い電圧＋ＶＤ２にて作動され、第２の電気抵抗手段としての抵抗器５２Ｒ，５２Ｌの抵抗値が第１の電気抵抗手段としての抵抗器１５Ｒ，１５Ｌの抵抗値より高く設定されている。このように、抵抗器５２Ｒ，５２Ｌの抵抗値が抵抗器１５Ｒ，１５Ｌの抵抗値より高いので、図４（ａ）の等価回路からわかるように、増幅器１１Ｒ，１１Ｌから出力される音響信号の電力のうち抵抗器５２Ｒ，５２Ｌで無駄に消費されてしまう電力が低減され、ヘッドホン４のボイスコイル４Ｒ，４Ｌに供給される電力を増やすことができる。したがって、本実施の形態によれば、増幅器１１Ｒ，１１Ｒから出力される第１の音響信号が示す音響の音量低下量を抑えることができる。また、本実施の形態によれば、抵抗器５２Ｒ，５２Ｌの抵抗値が比較的高いにも拘わらず、増幅器４８が電圧＋ＶＤ１より高い電圧＋ＶＤ２にて作動されるので、図４（ｂ）の等価回路からわかるように、増幅器４８から出力される第２の音響信号が示す音響の音量低下も抑制することができる。
【００９８】
さらに、本実施の形態では、アダプタ装置１に対する給電をオンオフする給電用スイッチ４１が設けられている。したがって、給電用スイッチ４１をオンオフすることで、増幅器１１Ｒ，１１Ｌの作動を継続したまま増幅器４８の作動をオンオフすることができるので、増幅器４８から出力される第２の音響信号が示す音響を選択的にオンオフすることができる。すなわち、給電用スイッチ４１をオンオフすることで、増幅器１１Ｒ，１１Ｌから出力される第１の音響信号が示す音響と増幅器４８から出力される第２の音響信号が示す音響とを合成した合成音がヘッドホン４のボイスコイル４Ｒ，４Ｌから発する状態と、第１の音響信号が示す音響のみがボイスコイル４Ｒ，４Ｌから発する状態とを、切り換えることができる。よって、本実施の形態によれば、使い勝手が良いとともに、無駄な電力を消費することがない。もっとも、本発明では、必ずしも給電用スイッチ４１を設ける必要はない。
【００９９】
本実施の形態では、給電用スイッチ４１をオフすると、増幅器４８に電源電圧＋ＶＤ２が供給されなくなり、増幅器４８が非作動状態となる。したがって、増幅器４８の出力端と接地との間に抵抗器５１が接続されていなければ、増幅器１１Ｒ，１１Ｌからの第１の音響信号は、増幅器４８を構成する半導体素子の非線形性等の影響を受けて歪んでしまい、第１の音響信号が示す音響の品質が劣化してしまう。これに対し、本実施の形態によれば、抵抗器５１が設けられているので、この抵抗器５１の抵抗値を比較的小さい値にしておくことで、前記非線形性等の影響が低減され、給電用スイッチ４１をオフした場合における第１の音響信号が示す音響の品質が向上する。
【０１００】
また、本実施の形態では、給電用スイッチ４１をオフすると、増幅器４８の作動がオフになるので、増幅器４８の内部インピーダンスが高くなってしまう。したがって、増幅器４８の出力端と接地との間に抵抗器５１が接続されていなければ、左右のステレオチャンネル間のクロストークが大きくなってしまう。これに対し、本実施の形態によれば、抵抗器５１が設けられているので、この抵抗器５１の抵抗値を比較的小さい値にしておくことで、給電用スイッチ４１のオフに伴い増幅器４８の内部インピーダンスが高くなっても、増幅器４８の出力端と接地との間のインピーダンスの上昇を抑えることができ、これにより、左右のチャンネル間のクロストークを低減することができる。
【０１０１】
これらの理由から抵抗器５１を設けることが好ましいが、本発明では、必ずしも、増幅器４８の出力端と接地との間に抵抗器５１を設ける必要はない。
【０１０２】
また、本実施の形態では、内部マイクロホン４４と外部マイクロホン３の両方を切り換えて使用し得るように構成されているが、いずれか一方のみを使用し得るように構成してもよい。
【０１０３】
なお、本実施の形態によるアダプタ装置１の使用例として、ジャック３２に電気音響変換器としてヘッドホン４を接続した例について説明したが、電気音響変換器として、ヘッドホン４に代えて、例えばスピーカを接続してもよい。また、ジャック３２を用いて前記合成音を示す合成信号を外部アンプ等に供給することも可能である。
【０１０４】
なお、例えば、使用者が演奏するギター以外の楽音パート等を携帯機器２の増幅器１１Ｒ，１１Ｌから出力させ、使用者が演奏するギターの音を内部マイクロホン４４又は外部マイクロホン３で拾えば、使用者が演奏するギターと他の楽音パートとの合奏等を楽しんだり、ギターを効果的に練習したりすることができる。
【０１０５】
［第２の実施の形態］
【０１０６】
図５は、本発明の第２の実施の形態によるアダプタ装置７１、並びに、このアダプタ装置７１と共に用いられる携帯機器２、外部マイクロホン３及びステレオヘッドホン４を示す回路図である。図６は、図５に示すアダプタ装置７１、携帯機器２、外部マイクロホン３及びステレオヘッドホン４の使用状態を示す概略図である。図５及び図６において、図１乃至図４中の要素と同一又は対応する要素には同一符号を付し、その重複する説明は省略する。
【０１０７】
本実施の形態が前記第１の実施の形態と異なる所は、以下に説明する点のみである。
【０１０８】
前記第１の実施の形態によるアダプタ装置１では、ジャック３２がアダプタ装置本体３０に設けられているのに対し、本実施の形態では、図５及び図６に示すように、ケーブル３４の途中の分岐点から分岐ケーブル７２が分岐され、分岐ケーブル７２の先端にジャック３２が設けられている。本実施の形態によるアダプタ装置７１では、ケーブル３４が４芯ケーブルであるのに対し、分岐ケーブル７２は３芯ケーブルである。分岐ケーブル７２の各芯線の基端が、分岐点において、ケーブル３４の３つの芯線（内部端子３５ｂ，３５ｃ，３５ｄにそれぞれ接続されている３つの芯線）にそれぞれ接続されている。そして、ジャック３２の端子３２ａ，３２ｂ，３２ｃが、分岐ケーブル７２及びケーブル３４における分岐点に対する基端側の部分を介して、それぞれ内部端子３５ｂ，３５ｃ，３５ｄにそれぞれ電気的に接続されるように、分岐ケーブル７２の各芯線の先端が内部端子３５ｂ，３５ｃ，３５ｄにそれぞれ接続されている。
【０１０９】
したがって、本実施の形態によるアダプタ装置７１も、電気回路的には前記第１の実施の形態によるアダプタ装置１と同一である（図５を図１と比較されたい。）が、本実施の形態では、第１の外部接続部としてのプラグ３１及び第２の外部接続部としてのジャック３２は、ケーブル３４の前記３つの芯線の前記分岐点から基端側の部分を共通して用いることで、これを介して本体３０内に対してそれぞれ配線されている。
【０１１０】
このため、本実施の形態によれば、前記第１の実施の形態と同様の利点が得られる他、次の利点も得られる。すなわち、プラグ３１及びジャック３２の配線のためにアダプタ装置本体３０から出るケーブルは、前記第１の実施の形態では、図２に示すようにケーブル３４及びヘッドホンケーブル２５の合計２本であるのに対し、本実施の形態では、図６に示すようにケーブル３４の１本だけですむ。したがって、本実施の形態によれば、前記第１の実施の形態に比べて、使用時の外観やケーブルの取り回しが良くなり、また、タッチノイズ等も低減されるという利点も得られる。
【０１１１】
なお、本実施の形態では、分岐ケーブル７２が用いられているが、分岐ケーブル７２を用いることなく、ケーブル３４の前記分岐点にジャック３２を設けてもよく、この場合にも本実施の形態と同様の利点が得られる。
【０１１２】
また、本実施の形態では、使用者はケーブル３４を本体３０から取り外せないようになっているが、例えば、ケーブル３４の基端側にプラグを設けるとともに、内部端子３５ａ〜３５ｄに代えて、当該プラグに接続されるジャックを本体３０に設け、使用者がケーブル３４を本体３０に対して着脱し得るようにしてもよい。
【０１１３】
［第３の実施の形態］
【０１１４】
図７は、本発明の第３の実施の形態によるアダプタ装置８１、並びに、このアダプタ装置８１と共に用いられる携帯機器２、外部マイクロホン３及びステレオヘッドホン４を示す回路図である。図７において、図１乃至図４中の要素と同一又は対応する要素には同一符号を付し、その重複する説明は省略する。
【０１１５】
本実施の形態によるアダプタ装置８１が前記第１の実施の形態によるアダプタ装置１と異なる所は、図１中の抵抗器５１が除去され、その代わりに、給電用スイッチ４１と連動するスイッチ８１，８２が抵抗器５２Ｒ，５２Ｌとそれぞれ直列に設けられている点のみである。スイッチ８１，８２は、給電用スイッチ４１がオンの場合にオンするとともに、給電用スイッチ４１がオフの場合にオフする。
【０１１６】
本実施の形態によれば、抵抗器５１が除去されているが、給電用スイッチ４１がオフの場合に、スイッチ８１，８２がオフして、増幅器４８の出力端及び抵抗器５２Ｒ，５２Ｌがヘッドホン４側のジャック３２の端子３２ａ，３２ｂから切り離されるので、給電用スイッチ４１のオフに伴う増幅器４８の非線形性及び内部インピーダンスの上昇の影響を完全に防止することができる。
【０１１７】
この点以外については、本実施の形態によっても、前記第１の実施の形態と同様の利点が得られる。
【０１１８】
［第４の実施の形態］
【０１１９】
図８は、本発明の第４の実施の形態によるアダプタ装置９１、並びに、このアダプタ装置９１と共に用いられる携帯機器９２、外部マイクロホン３及びステレオヘッドホン４を示す回路図である。図８において、図１乃至図４中の要素と同一又は対応する要素には同一符号を付し、その重複する説明は省略する。
【０１２０】
図８中の携帯機器９２が図１中の携帯機器２と異なる所は、携帯機器９２では、携帯機器２で設けられていた抵抗器１５Ｒ，１５Ｌが除去されて、増幅器１１Ｒ，１１Ｌの出力端がコンデンサ１４Ｒ，１４Ｌを介してジャック１３の端子１３ｂ，１３ｄに接続されている点と、ジャック１３の端子１３ａが除去されてジャック１３としてジャック３２と同じジャックが用いられている点のみである。
【０１２１】
また、本実施の形態によるアダプタ装置９１が前記第１の実施の形態によるアダプタ装置１と異なる所は、以下に説明する点のみである。
【０１２２】
本実施の形態によるアダプタ装置９１では、携帯機器９２に抵抗器１５Ｒ，１５Ｌが設けられていないことに伴い、右チャンネル用の第１の電気抵抗手段としての抵抗器抵抗器１１５Ｒが、ジャック３２の端子３２ａと抵抗器５２Ｒとの接続中点と内部端子３５ｂとの間に設けられ、左チャンネル用の第１の電気抵抗手段としての抵抗器抵抗器１１５Ｌが、ジャック３２の端子３２ｃと抵抗器５２Ｌとの接続中点と内部端子３５ｄとの間に設けられている。
【０１２３】
また、本実施の形態によるアダプタ装置９１では、携帯機器９２から給電を受けないことに伴い、プラグ３１は端子３１ａを有しておらず、ケーブル３４として３芯ケーブルが用いられ、電池９３が搭載されて電池９３から給電されるようになっている。本実施の形態では、電池９３は、給電用スイッチ４１を介して電源電圧＋ＶＤ２を供給する。
【０１２４】
本実施の形態によるアダプタ装置９１は、増幅器１１Ｒ，１１Ｌの出力側に抵抗器１５Ｒ，１５Ｌが設けられていない携帯機器９２と共に、用いることができる。もっとも、抵抗器１１Ｒと抵抗器１５Ｒとの合成抵抗値が許容範囲内であるとともに、抵抗器１１Ｌと抵抗器１５Ｌとの合成抵抗値が許容範囲内であれば、本実施の形態によるアダプタ装置９１は、図１中の携帯機器２と共に用いることも可能である。
【０１２５】
本実施の形態によっても、前記第１の実施の形態と同様の利点が得られる。
【０１２６】
［第５の実施の形態］
【０１２７】
図９は、本発明の第５の実施の形態によるアダプタ装置１０１、並びに、このアダプタ装置１０１と共に用いられる携帯機器９２、外部マイクロホン３及びステレオヘッドホン４を示す回路図である。図９において、図８中の要素と同一又は対応する要素には同一符号を付し、その重複する説明は省略する。
【０１２８】
また、本実施の形態によるアダプタ装置１０１が前記第４の実施の形態によるアダプタ装置９１と異なる所は、手動操作され互いに連動してオンオフするスイッチ１０２，１０３が、抵抗器１１５Ｒ，１１５Ｌとそれぞれ並列に接続されている点のみである。スイッチ１０２，１０３は、オン時に抵抗器１１５Ｒ，１１５Ｌを無効とし、オフ時に抵抗器１１５Ｒ，１１５Ｌを有効にすることになる。
【０１２９】
本実施の形態によるアダプタ装置１０１は、増幅器１１Ｒ，１１Ｒの出力側に抵抗器１１Ｒ，１１Ｌが設けられていない携帯機器９２と共に用いられる場合は、スイッチ１０２，１０３がオフされ、増幅器１１Ｒ，１１Ｒの出力側に抵抗器１１Ｒ，１１Ｌが設けられている図１中の携帯機器２と共に用いられる場合は、スイッチ１０２，１０３がオンされる。
【０１３０】
したがって、本実施の形態によるアダプタ装置１０１は、抵抗器１１Ｒと抵抗器１５Ｒとの合成抵抗値が許容範囲内であるか否かや、抵抗器１１Ｌと抵抗器１５Ｌとの合成抵抗値が許容範囲内であるか否かに拘わらず、携帯機器２，９２のいずれに対しても用いることができ、汎用性が高まる。
【０１３１】
本実施の形態によれば、以上述べた点の他、前記第１の実施の形態と同様の利点が得られる。
【０１３２】
なお、例えば、抵抗器１５Ｒの代わりに直列接続又は並列接続された複数の抵抗器の組み合わせを用い、直列接続された複数の抵抗器のうちの一部の抵抗器のみをオン時にシャントするようにスイッチ１０２を設けたり、並列接続された複数の抵抗器のうちの一部のみをオフ時に切り離すようにスイッチ１０２を設けたりしてもよい。この場合も、本実施の形態と同様の利点を得ることができる。
【０１３３】
［第６の実施の形態］
【０１３４】
図１０は、本発明の第６の実施の形態によるアダプタ装置１２１、並びに、このアダプタ装置１２１と共に用いられる携帯機器２、外部マイクロホン３、ステレオヘッドホン４及び外部機器１２２を示す回路図である。図１０において、図１乃至図４中の要素と同一又は対応する要素には同一符号を付し、その重複する説明は省略する。
【０１３５】
図１０に示す外部機器１２２は、音響信号を出力する増幅器１３１と、外部接続部としてのジャック１３３とを備えており、例えば、電子楽器などである。ジャック１３３は、端子１３３ａ，１３３ｂを有している。増幅器１３１の出力端は、直流阻止用コンデンサ１３２を介して端子１３３ａに接続されている。端子１３３ｂは、外部機器１２２内の接地ラインに接続されている。
【０１３６】
本実施の形態によるアダプタ装置１２１が前記第１の実施の形態によるアダプタ装置１と異なる所は、外部機器１２２のジャック１３３に接続ケーブル１４１を介して接続されるジャック１５１と、前述した第２の音響信号として増幅器４８から出力される音響信号を用いるか外部機器１２２の増幅器１３１から出力される音響信号を用いるかを手動操作により切り換えるスイッチ１５２とが、追加されている点のみである。ジャック１５１の端子１５１ａは、スイッチ１５２の一方の切り換え接点に接続されている。ジャック１５１の端子１５１ｂは、アダプタ装置１内の接地ラインに接続されている。接続ケーブル１４１は、その両端に、外部機器１２２のジャック１３３に接続されるプラグ１４２及びアダプタ装置１のジャック１５１に接続されるプラグ１４３を有し、端子１３３ａ，１５１ａ間及び端子１３３ｂ，１５１ｂ間を接続し得るようになっている。
【０１３７】
本実施の形態によれば、スイッチ１５２を増幅器４８側に切り換えると、前記第１の実施の形態と同様にカラオケ等を楽しむことができる。また、本実施の形態によれば、外部機器１２２のジャック１３３を接続ケーブル１４１を介してアダプタ装置１のジャック１５１に接続し、スイッチ１５２をジャック１５１側に切り換えると、例えば、使用者が演奏する電子楽器以外の楽音パート等を携帯機器２の増幅器１１Ｒ，１１Ｌから出力させることで、使用者が演奏する楽音パートと他の楽音パートとの合奏等を楽しんだり、当該電子楽器を効果的に練習したりすることができる。
【０１３８】
なお、本発明では、本実施の形態によるアダプタ装置１２１を、例えば次のように変形してもよい。第１に、外部機器１２２における増幅器１３１の出力端と端子１３３ａとの間、及び、アダプタ装置１２１における端子１５１ａとスイッチ１５２との間の、いずれか一方又は両方に抵抗器を設けてもよい。第２に、ジャック３３からスイッチ１５２までの部分を取り除き、端子１５１ａを抵抗器５２Ｒ，５２Ｌ，５１の接続中点に直接に接続し、前述した第２の音響信号として外部機器１２２の増幅器１３１からの音響信号のみを用いるように構成してもよい。
【０１３９】
［第７の実施の形態］
【０１４０】
図１１は、本発明の第７の実施の形態によるアダプタ装置１６１、並びに、このアダプタ装置１６１と共に用いられる携帯機器２、外部マイクロホン３及びステレオヘッドホン４を示す回路図である。図１１において、図１乃至図４中の要素と同一又は対応する要素には同一符号を付し、その重複する説明は省略する。
【０１４１】
本実施の形態によるアダプタ装置１６１が前記第１の実施の形態によるアダプタ装置１と異なる所は、前記第１の実施の形態では第２の外部接続部としてのプラグ３２が１つであるのに対し、本実施の形態では第２の外部接続部としてのプラグ３２が電気的に並列に複数設けられている点のみである。
【０１４２】
本実施の形態によれば、前記第１の実施の形態と同様の利点が得られる他、次の利点も得られる。すなわち、本実施の形態によれば、複数のプラグ３２にそれぞれヘッドホン４を接続することで、合成音を複数人で聴くことができる。前記第１の実施の形態では、プラグ３２が単一であるので、例えば、ヘッドホン４を利用してカラオケを歌っている人のみしかカラオケ楽曲パートを聴くことができず、他の人に対しては歌唱音声パートしか聞こえないという、不自然な状態となる。これに対し、本実施の形態では、歌っている本人のみならず他の人も合成音を聴くことができるので、前述したような不自然な状態を避けることができる。また、プラグ３２を用いて前記合成音を示す合成信号を外部アンプや録音機に供給することも可能であるが、本実施の形態では、プラグ３２が複数設けられているので、ヘッドホン４によるカラオケを楽しみつつ、そのカラオケの合成音を録音したり外部アンプや外部大型スピーカを利用してその合成音を拡声することも可能である。
【０１４３】
［第８の実施の形態］
【０１４４】
図１２は、本発明の第８の実施の形態によるアダプタ装置１９１、並びに、このアダプタ装置１９１と共に用いられる携帯機器１９２、外部マイクロホン３及びステレオヘッドホン４を示す回路図である。図１２において、図１乃至図４中の要素と同一又は対応する要素には同一符号を付し、その重複する説明は省略する。
【０１４５】
本実施の形態によるアダプタ装置１９２が前記第１の実施の形態によるアダプタ装置１と異なる所は、給電用スイッチ４１が除去されて、内部端子３５ａが直接にＤＣ−ＤＣコンバータ４２の入力端子に接続されている点のみである。また、図１２中の携帯機器１９２が図１中の携帯機器２と異なる所は、電池１２の正極とジャック１３の端子１３ａとの間に給電用スイッチ４１が設けられている点のみである。
【０１４６】
このように、携帯機器からアダプタ装置への給電を選択的にオンオフする給電用スイッチ４１が、前記第１の実施の形態ではアダプタ装置に設けられていたのに対し、本実施の形態では携帯機器に設けられている。
【０１４７】
したがって、本実施の形態によれば、前記第１の実施の形態と同様の利点が得られる他、次の利点も得られる。携帯機器１９２は、通常は種々の操作部を有しているので、本実施の形態のように給電用スイッチ４１を当該アダプタ装置１９１ではなく携帯機器１９２に設けると、この給電用スイッチも携帯機器１９２の操作部の一部をなすことになり、前記第１の実施の形態に比べて使い勝手をより向上させることができる。
【０１４８】
［第９の実施の形態］
【０１４９】
図１３は、本発明の第９の実施の形態によるアダプタ装置１７１、並びに、このアダプタ装置１７１と共に用いられる携帯機器２、外部マイクロホン３及びステレオヘッドホン４を示す回路図である。図１３において、図１乃至図４中の要素と同一又は対応する要素には同一符号を付し、その重複する説明は省略する。
【０１５０】
本実施の形態によるアダプタ装置１７１が前記第１の実施の形態によるアダプタ装置１と異なる所は、抵抗器５２Ｒ，５２Ｌが除去され、コンデンサ５０と抵抗器５１との接続中点が抵抗器５２を介してジャック３２の端子３２ｂに接続されている点のみである。
【０１５１】
したがって、本実施の形態では、増幅器４８の出力端子からコンデンサ５０及び抵抗器５２を介して第２の外部接続部としてのジャック３２の端子３２ｂまで接続された部分が、ジャック３２とヘッドホン４のプラグ２６との間が接続されたときに、増幅器４８から出力される第２の音響信号が第２の電気抵抗手段としての抵抗器５２を介してヘッドホン４の右チャンネル用及び左チャンネル用のボイスコイル４Ｒ，４Ｌの他方端子に供給されるように、増幅器４８とジャック３２との間を連係させる手段を構成している。
【０１５２】
ここで、ジャック１３とプラグ３１との間及びジャック３２とプラグ２６との間が接続され、給電用スイッチ４１が投入された使用状態を考える。
【０１５３】
この使用状態における携帯機器２側から見た（すなわち、右チャンネル用及び左チャンネル用の第１の音響信号に着目した）ヘッドホン駆動等価回路は、図１４（ａ）に示す通りとなる。携帯機器２側から見ると、図１４（ａ）に示すように、増幅器１１Ｒ，１１Ｌはそれぞれ右チャンネル用及び左チャンネル用の第１の音響信号を出力する電圧源とみなせる。また、増幅器４８は、その出力側から見た作動時の内部インピーダンスに相当する抵抗値を持つ抵抗器であるとみなせる。
【０１５４】
なお、図１３中の抵抗器５１は、音響合成の基本動作には影響がないので、図１４（ａ）では省略している。また、図１４（ａ）では、交流成分の経路のみを示しており、直流阻止用コンデンサ１４Ｒ，１４Ｌ，５０は省略している。これらの点は、後述する図１４（ｂ）についても同様である。
【０１５５】
図１４（ａ）からわかるように、増幅器１１Ｒから出力される右チャンネル用の第１の音響信号は、抵抗器１５Ｒ→ボイスコイル４Ｒ→抵抗器５２→増幅器４８（小インピーダンス）の経路で、ヘッドホン４の右チャンネル用ボイスコイル４Ｒに供給される。また、増幅器１１Ｌから出力される左チャンネル用の第１の音響信号は、抵抗器１５Ｌ→ボイスコイル４Ｌ→抵抗器５２→増幅器４８（小インピーダンス）の経路で、ヘッドホン４の左チャンネル用ボイスコイル４Ｌに供給される。
【０１５６】
前記使用状態におけるマイクロホン３，４４側から見た（すなわち、第２の音響信号に着目した）ヘッドホン駆動等価回路は、図１４（ｂ）に示す通りとなる。マイクロホン３，４４側から見ると、図４（ｂ）に示すように、増幅器４８は第２の音響信号を出力する電圧源とみなせる。また、増幅器１１Ｒ，１１Ｌは、その出力側から見た作動時の内部インピーダンスに相当する抵抗値を持つ抵抗器であるとみなせる。
【０１５７】
図１４（ｂ）からわかるように、増幅器４８から出力される第２の音響信号は、抵抗器５２を経由した後に同相かつ同振幅で２つに分配され、その一方がボイスコイル４Ｒ→抵抗器１５Ｒ→増幅器１１Ｒ（小インピーダンス）の経路で、ヘッドホン４の右チャンネル用ボイスコイル４Ｒに供給され、他方がボイスコイル４Ｌ→抵抗器１５Ｌ→増幅器１１Ｌ（小インピーダンス）の経路で、ヘッドホン４の左チャンネル用ボイスコイル４Ｌに供給される。
【０１５８】
以上の図１４（ａ）及び図１４（ｂ）を参照した説明からわかるように、右チャンネル用のボイスコイル４Ｒには、増幅器１１Ｒから出力された右チャンネル用の第１の音響信号、及び、増幅器４８から出力された第２の音響信号が、重畳して供給される。これにより、両音響信号がボイスコイル４Ｒ上で直に合成され、ヘッドホン４のボイスコイル４Ｒから、右チャンネル用の第１の音響信号が示す音響（例えば、右チャンネルカラオケ楽曲）と第２の音響信号が示す音響（例えば、エコーが付与された歌声）とを合成した合成音が、発生される。また、左チャンネル用のボイスコイル４Ｌには、増幅器１１Ｌから出力された左チャンネル用の第１の音響信号、及び、増幅器４８から出力された第２の音響信号が、重畳して供給される。これにより、両音響信号がボイスコイル４Ｌ上で直に合成され、ヘッドホン４のボイスコイル４Ｌから、左チャンネル用の第１の音響信号が示す音響（例えば、左チャンネルカラオケ楽曲）と第２の音響信号が示す音響（例えば、エコーが付与された歌声）とを合成した合成音が、発生される。したがって、ヘッドホン４を装着した使用者には、カラオケ楽曲等がステレオで聞こえると同時に、ステレオの中央にモノラルの音像として定位した歌声等が聞こえる。
【０１５９】
本実施の形態によれば、前記第１の実施の形態と同様の利点が得られる他、本実施の形態では、第１の実施の形態で用いられていた２つの抵抗器５２Ｒ，５２Ｌに代えて、１つの抵抗器５２が用いられているので、前記第１の実施の形態に比べて、抵抗器による音響信号の電力消費量が低減され、合成効率が高まるという利点が得られる。ただし、左右のチャンネル間のクロストークは、本実施の形態に比べて前記第１の実施の形態の方が少ない。
【０１６０】
［音響合成装置の他の例］
【０１６１】
例えば、前述した図７中のアダプタ装置１、携帯機器２、ヘッドホン４及び外部マイクロホン３を組み合わせたものは、本発明の一実施の形態による音響合成方法を使用する音響合成装置を、含んでいる。ここでは、この音響合成方法を使用する音響合成装置を含む装置の他の例について、図１５を参照して説明する。図１５は、この音響合成装置を示す回路図である。図１５において、図７中の要素と同一又は対応する要素には同一符号を付し、その重複する説明は省略する。
【０１６２】
図１５に示す装置は、携帯機器１８２、ヘッドホン４及び外部マイクロホン３を組み合わせたものである。勿論、外部マイクロホン３は必ずしも必要ではない。
【０１６３】
図１５中の携帯機器１８２が図７中の携帯機器２と異なる所は、携帯機器１８２が、図７中の携帯機器２に図７中のアダプタ装置１の回路を組み込んだ構成を有している点のみである。これに伴い、図７中のジャック１３、プラグ３１、ケーブル３４及び内部端子３５ａ〜３５ｄは、除去されている。
【０１６４】
この装置によれば、携帯機器１８２に図７中のアダプタ装置１の回路が組み込まれているため、機器１８２自体がミキシング機能を有する。したがって、ミキシング機能を有していない一般の携帯機器を用いつつカラオケ等を楽しむことはできないが、この携帯機器１８２を用いてカラオケ等を手軽かつ廉価に楽しくむことができる。そして、この装置によれば、前述した図７中のアダプタ装置１、携帯機器２、ヘッドホン４及び外部マイクロホン３を組み合わせたものが実現する本発明の一実施の形態による音響合成方法と同じ音響合成方法が実現されるので、電力利用効率が高まり消費電力を低減することができるとともにコストを低減することができる。
【０１６５】
以上、本発明の各実施の形態等について説明したが、本発明はこれらの実施の形態等に限定されるものではない。
【０１６６】
例えば、前記第２乃至第８の実施の形態は前記第１の実施の形態をそれぞれ変形したものであったが、本発明では、これらの変形事項は、互いに相反しない限り、適宜任意に組み合わせてもよい。
【０１６７】
また、例えば、前記第１乃至第８の態様や図１５に示す装置において、外部マイクロホン３及びヘッドホン４の代わりに、これらの機能を併有するいわゆるイヤホンマイクを用いてもよい。
【０１６８】
【発明の効果】
以上説明したように、本発明によれば、ミキシング機能を有していない一般の機器を用いつつ、例えばカラオケ等を手軽かつ廉価に楽しむことができると同時に、例えば本来のカラオケ等と同様の臨場感を得ることができ、しかも消費電力及びコストを低減することができるアダプタ装置を提供することができる。
【０１６９】
また、本発明によれば、消費電力及びコストを低減することができる音響合成方法を提供することができる。
【図面の簡単な説明】
【図１】本発明の第１の実施の形態によるアダプタ装置等を示す回路図である。
【図２】図１に示すアダプタ装置等の使用状態を示す概略図である。
【図３】抑制回路の一例を示す回路図である。
【図４】図１に示す回路中の各側から見たヘッドホン駆動等価回路を示す回路図である。
【図５】本発明の第２の実施の形態によるアダプタ装置等を示す回路図である。
【図６】図５に示すアダプタ装置等の使用状態を示す概略図である。
【図７】本発明の第３の実施の形態によるアダプタ装置等を示す回路図である。
【図８】本発明の第４の実施の形態によるアダプタ装置等を示す回路図である。
【図９】本発明の第５の実施の形態によるアダプタ装置等を示す回路図である。
【図１０】本発明の第６の実施の形態によるアダプタ装置等を示す回路図である。
【図１１】本発明の第７の実施の形態によるアダプタ装置等を示す回路図である。
【図１２】本発明の第８の実施の形態によるアダプタ装置等を示す回路図である。
【図１３】本発明の第９の実施の形態によるアダプタ装置等を示す回路図である。
【図１４】図１３に示す回路中の各側から見たヘッドホン駆動等価回路を示す回路図である。
【図１５】本発明の一実施の形態による音響合成方法を使用する音響合成装置を含む装置の他の例を示す回路図である。
【符号の説明】
１，７１，８１，９１，１０１，１２１，１６１，１７１，１９１  アダプタ装置
２，９２，１８２，１９２  携帯機器
３  外部マイクロホン
４  ステレオヘッドホン
４Ｒ，４Ｌ  ボイスコイル
１１Ｒ，１１Ｌ，４８  増幅器
１２，９３  電池
１３  ジャック
１５Ｒ，１５Ｌ，１１５Ｒ，１１５Ｌ  抵抗器（第１の電気抵抗手段）
３０  アダプタ装置本体
３１  プラグ（第１の外部接続部）
３２  ジャック（第２の外部接続部）
３３  ジャック
３４  ケーブル
４１  給電用スイッチ
４２  ＤＣ−ＤＣコンバータ
４４  内部マイクロホン
４５  ＡＬＣ回路
４７  音響効果付与回路
４９  抑制回路
５１  抵抗器
５２，５２Ｒ，５２Ｌ  抵抗器（第２の電気抵抗手段）
７２  分岐ケーブル
８２，８３，１０２，１０３  スイッチ
１２２  外部機器
【図１】
2005043492.tif 000003
【図２】
2005043492.tif 000004
【図３】
2005043492.tif 000005
【図４】
2005043492.tif 000006
【図５】
2005043492.tif 000007
【図６】
2005043492.tif 000008
【図７】
2005043492.tif 000009
【図８】
2005043492.tif 000010
【図９】
2005043492.tif 000011
【図１０】
2005043492.tif 000012
【図１１】
2005043492.tif 000013
【図１２】
2005043492.tif 000014
【図１３】
2005043492.tif 000015
【図１４】
2005043492.tif 000016
【図１５】
2005043492.tif 000017